(57)【特許請求の範囲】
【請求項１】
地面を掘り下げて形成したタンク部の周壁部及び底部を遮水性シート又透水性シート等で覆うことによって、雨水等を利用可能または浸透排水可能に貯留するように構築される雨水等の貯留・浸透槽であって、槽底面は上面を水平面に形成した複数の突部と前記突部の間に土砂を流動させる流動面を形成してなり、前記水平面を有する複数の突部には、槽内に空隙を形成するために充填される充填体を位置決めするための受け材が設置してなり、前記受け材は上板と側板とによって断面コ字状に形成し、前記上板には充填体の脚部を挿入する受け口を設けるか、又は側面に平行な突起を突設したことを特徴とする雨水等の貯留・浸透槽の底面構造。
【請求項２】
受け材の受け口は、上板に形成した透孔による受け口であることを特徴とする請求項１に記載の雨水等の貯留・浸透槽の底面構造。
【請求項３】
受け材の受け口は、上板に突設した環状の受け口であることを特徴とする請求項１に記載の雨水等の貯留・浸透槽の底面構造。
【請求項４】
受け材の上板は、上方に突出した湾曲面又は傾斜面に形成したことを特徴とする請求項１〜３のいずれか１項に記載の雨水等の貯留・浸透槽の底面構造。
【請求項５】
雨水等を利用可能または浸透排水可能に貯留するように構築される雨水等の貯留・浸透槽であって、
槽底面は上面を水平面に形成した複数の突部と前記突部の間に土砂を流動させる流動面を形成してなり、前記突部の上面には槽内に空隙を形成するために充填される充填体を位置決めするための凹部を設けてなる
ことを特徴とする雨水等の貯留・浸透槽の底面構造。
【発明の詳細な説明】
【技術分野】
【０００１】
この発明は、雨水等を利用可能または浸透排水可能に貯留するように公園などの地下に構築される雨水等の貯留・浸透槽に係り、詳しくは土砂を流動させる流動面を有しながらも槽内に空隙を形成する充填体は水平面に設置できるようにした雨水等の貯留・浸透槽の底面構造に関するものである。
【背景技術】
【０００２】
雨水等を利用可能または浸透排水可能に貯留するように公園などの地下に構築される雨水貯留・浸透槽が一般に知られている。この種の雨水貯留・浸透槽の槽内には、上方からの荷重と横方向からの土圧に抗して空隙を形成するための複数の充填体が縦横に並べて上下に積み重ねられている。
【０００３】
これらの雨水等の貯留・浸透槽においては、長期間使用していると、槽内に流入する雨水に含まれる泥やゴミなどが充填体や槽の底面に堆積して充填体を汚したり、有効貯水量を減少せしめるという問題がある。そこで、泥やゴミなどを取り除くことが必要になる。泥やゴミを取り除くには、充填体を洗浄したり、底面に堆積した土砂などを所定箇所に誘導してバキュームホース等によって吸い出すことが行われている。
【０００４】
土砂などを所定の箇所に自然に誘導するには槽底部を傾斜面に形成しておけばよいが、充填体は水平な面に設置されるように形成されているから、傾斜面とした槽底面に設置することはできない。そこで、充填体を水平に維持しながらも槽底面を傾斜面に形成することが提案されている。
【０００５】
例えば、特開２００２−１２９６４０号公報には、第１段目の充填体を設置した時点でモルタルを引いてスロープを形成し、スロープを形成した後に残りの充填体を必要段数積み上げることによって貯水槽を形成することが開示されている。また、特開２００６−３４２５２０号公報には、槽底面を土砂が流動する傾斜面に形成し、この傾斜面に設置される最下段の充填体は、その上面が同一高さとなるように脚部の長さを調整することが開示されている。
【特許文献１】特開２００２−１２９６４０号公報
【特許文献２】特開２００６−３４２５２０号公報
【発明の開示】
【発明が解決しようとする課題】
【０００６】
ところで、特許文献１に記載された雨水貯留・浸透槽の構造においては、充填体を設置した時点でモルタルを引くだけでなくスロープを形成するものであり、充填体の脚部間を均一なスロープに形成することは、手間がかかるばかりでなくきわめて困難である。一方、特許文献２に記載されている雨水貯留槽は、槽底面を傾斜面に形成することは比較的容易であるものの、１段目となる充填体の脚部の長さを傾斜面に合わせて調整しなければならないという問題がある。
【０００７】
そこで、この発明は、雨水と共に貯留槽内に流入した土砂などを貯留槽の槽底面に滞留させることなく所定の排出個所に確実に誘導する流動面を容易に形成することができるとともに、充填体は水平面に設置可能とした雨水貯留・浸透槽を提供することを課題とする。
【課題を解決するための手段】
【０００８】
この発明に係る雨水等の貯留・浸透槽の底面構造は、地面を掘り下げて形成したタンク部の周壁部及び底部を遮水性シート又透水性シート等で覆うことによって、雨水等を利用可能または浸透排水可能に貯留するように構築される雨水等の貯留・浸透槽であって、槽底面は上面を水平面に形成した複数の突部と前記突部の間に土砂を流動させる流動面を形成してなり、前記水平面を有する複数の突部には、槽内に空隙を形成するために充填される充填体を位置決めするための受け材が設置されており、前記受け材は上板と側板とによって断面コ字状に形成し、前記上板には充填体の脚部を挿入する受け口を設けるか、又は側面に平行な突起を突設したことを特徴とする。前記受け材の受け口は、充填体を位置決めできる形状であれば、上板に形成した透孔による受け口であってもよいし、上板に突設した環状の受け口であってもよい。また、受け材の上板は、上方に突出した湾曲面又は傾斜面に形成することができる。
【０００９】
この発明に係る雨水等の貯留・浸透槽の底面構造は、地面を掘り下げて形成したタンク部の周壁部及び底部を遮水性シート又透水性シート等で覆うことによって、雨水等を利用可能または浸透排水可能に貯留するように構築される雨水等の貯留・浸透槽であって、槽底面は上面を水平面に形成した複数の突部と前記突部の間に土砂を流動させる流動面を形成してなり、前記突部の上面には槽内に空隙を形成するために充填される充填体を位置決めするための凹部を設ける構成としてもよい。
【発明の効果】
【００１０】
この発明に係る雨水等の貯留・浸透槽は、槽底面は充填体を水平に設置することができるように、水平な上面を有する突部と、土砂を流動させる流動面とを形成したから、充填体は脚部の長さを調整することなく水平な状態で安定的に載置することができるとともに、充填体を設置した後にモルタルでスロープを形成する困難な作業をすることがない。また、雨水と共に槽内に流入した土砂などは、流動面によって槽底面に滞留させることなく所定の砂溜まりに誘導することができる。
【発明を実施するための最良の形態】
【００１１】
以下、図面を参照してこの発明に係る雨水貯留・浸透槽の底面構造の実施形態を説明する。参照する図面において、図１は一実施形態に係る雨水貯留・浸透槽の全体構造を概略的に示す縦断面図である。
【００１２】
一実施形態に係る雨水貯留・浸透槽は、例えば図１に示すように、雨水等を利用可能に貯留するように公園などの地下に構築される。この雨水貯留槽は、地面を掘り下げて形成したタンク部の周壁部１および底部２をコンクリートで形成し、その内面を遮水性シートで適宜覆うか、あるいは貯留された雨水等が地下に浸透するように周囲１を土留めした後に周壁部１及び底部２を透水性材で覆うことによって形成されている。  
【００１３】
この貯留・浸透槽の形状は特に限定されるものではないが、図示する実施形態では平面視において略長方形を呈し、その槽内には、空隙形成用の複数の充填体３が底部２上に縦横に並べ、さらに上下多段に積み重ねられている。そして、最上段に積み重ねられた各充填体３の上面には、貯留・浸透槽の天井部を構成するための蓋体４がそれぞれ載置されて敷き詰められている。
【００１４】
敷き詰められた各蓋体４の上面には透水性シートが敷設され、その上には礫層５及び土層６が順次施工されており、これらで貯留・浸透槽の天井部が構成されている。そして、この天井部には、開閉蓋８Ａを有するマンホール８が貯留・浸透槽の長手方向の一端部の中央部に点検口を構成するように埋設されると共に、開閉蓋９Ａを有する筒体９が貯留槽の長手方向の他端部に放水用穴を構成するように埋設されている。
【００１５】
なお、マンホール８及び筒体９は貯留・浸透槽の天井部に設けることなく、貯留・浸透槽の上部周壁部に設けても良い。また、図示するのを省略したが、貯留・浸透槽には、地上の側溝や排水溝から雨水を貯留・浸透槽に導入する導入管や、オーバーフロー用排水溝等を設けることができる。
【００１６】
貯留・浸透槽の長手方向の一端部側には、図１に示すように、土砂の流動面２２を有する槽底面２Ａの低位部に連続する排砂溝２３が形成されている。この排砂溝２３は、貯留・浸透槽の長手方向と直交する短手方向の両端部から中央部に向かって土砂を流動させて誘導するように０．１〜３％で緩く下降傾斜しており、この下降傾斜が土砂の流動傾斜となっている。
【００１７】
そして、この土砂の流動傾斜を有する排砂溝２３の低位部には、槽底面２Ａの流動面２２及び排砂溝２３の流動傾斜に沿って流動する土砂を受け入れる砂溜まり２４が形成されている。この砂溜まり２４の上方の天井部には、バキュームホースなどによって砂溜まり２４から土砂を吸引排出するための点検口を構成するマンホール８が配置されている。
【００１８】
充填体３は合成樹脂により一体に成形されたものであり、例えば図２に示すように、略正方形の枠部３１と、枠部３１の対角線方向に沿って斜めに交差することで枠部３１の内側を相互に連結する複数のリブ３２と、枠部３１の４隅部分および各リブ３２の交差部分から下方に突出する複数本の脚部３３とを有する。
【００１９】
上記充填体３の各脚部３３は、小径の嵌合部３４を下端部に有する段付きパイプ状に形成されており、下段の充填体３の上面に開口する各脚部３３の嵌合穴３５に上段の充填体３の各脚部３３の嵌合部３４が嵌合できるようになっている。このため、複数の充填体３は、各脚部３３の嵌合穴３５に嵌合部３４を嵌合させることで、上下に安定的に積み重ねることができる。
【００２０】
次に、図３及び図４に基づいて、槽底面２Ａの構成について説明する。槽底面２Ａは、充填体３を設置する帯状に形成された突部２１と流動傾斜を有する流動面２２とによって構成されている。前記突部２１は、上面がほぼ水平面に形成され所定の間隔で平行に配設されている。前記突部２１の上面に前記充填体３の脚部３３が設置される。
【００２１】
また、流動面２２は、前記突部２１の間に形成されている。従って、この実施形態では、流動面２２は底面が傾斜した溝に形成されている。このように、溝として形成されている流動面２２は、筒体９が配置された貯留・浸透槽の長手方向の他端部からマンホール８が配置された長手方向の一端部に向かって土砂を流動させて誘導するように０．１〜３％の傾斜角度で緩く下降傾斜している。この下降傾斜が土砂の流動傾斜となっている。
【００２２】
充填体３の脚部３３は、突部２１の上面に直接設置してもよいが、図３及び図４に示すように、受け材５０を介して載置するのが好ましい。受け材５０は、突部２１の上面を嵌合するように上板５１の両側端に側板５２を突設して断面コ字状に形成するとともに、前記上板５１の上面に受け口５４を突設することによって形成されている。前記受け口５４は、充填体３の脚部３３の下端部が挿入可能なように脚部３３と同じ間隔で環状に突設されている。このように、充填体３が受け材５０を介して突部２１に設置されることによって、充填体３はずれることがなく安定した状態で確実に設置することが可能となる。
【００２３】
前記受け材５０の上板５１は水平面であってもよいが、上方に突出した湾曲面又は傾斜面とすることができる。上板５１を湾曲面又は傾斜面とした場合には、上面に土砂等が堆積することなく流動面２２へと流動させることができる。
【００２４】
また、図５は、受け材５０の他の実施形態を示し、図５（ａ）は、上板５１を湾曲面とするとともに、側板５２を適宜の間隔で突設してなる。また、図５（ｂ）は、上板５１の下面に三角形リブ５５を適宜の間隔で突設するとともに、上板５１には脚部３３が嵌合する受け口５４とともに、単に透孔によって形成した受け口５４ａを設けてなる。受け材５０の側板５２を、図５に示すように、適宜の間隔で設けた場合には、材料費を節約することができる。
【００２５】
次に、図６に示す槽底面２Ａの第２実施形態について説明する。突部２１の上面には、充填体３の脚部３３の間隔とほぼ同じ間隔で凹部２５が設けられている。凹部２５は、受け材５０の受け口５４に相当するもので、前記凹部２５に脚部３３の下部を嵌合させて位置決めされる。
【００２６】
上記の第１実施形態では、充填体３の脚部３３を受け材５０を介して載置する構成としたが、この実施形態では受け材５０を用いることなく脚部３３を突部２１に設けた凹部２５に直接嵌合させる構成とした。突部２１の間に流動面２２が形成されている点では第１実施形態と同一であり、よって流動面２２の構成については同一符号を付してその説明は省略する。
【００２７】
図７は、槽底面２Ａの第３実施形態を示し、突部２１の間に形成される流動面２２ａを断面コ字状の流動面形成用部材６０を用いて形成してなる。前記流動面形成用部材６０は、上板６１の両側端に側板６２を突設することによって断面コ字状に形成してなり、前記側板６２の高さを一方端から他端に向かって徐々に減ずることによって、上板６１が傾斜面となるように構成されている。
【００２８】
この第３実施形態では、槽底面２Ａは上面を水平面とした突部２１と水平溝６３を交互に形成し、前記流動面形成用部材６０が突部２１の間の溝６３に挿入されることによって、上板６１を流動面２２ａとするものである。この第３実施形態においては、突部２１と水平溝６３をそれぞれ水平に形成するものであるから、槽底面の形成が容易である。第３実施形態として示す図７には、受け材５０を取り付けるか、あるいは凹部２５を設ける構成としてもよい。
【００２９】
また、図８は、突部２１を縦横に島状に形成した場合の第４実施形態を示す。上記第１実施形態から第３実施形態までは突部２１は平面において帯状に連続しているが、この第４実施形態では充填体の脚部３３が載置する突部２１ａは設置する充填体の脚部ごとに独立して形成されている。この実施形態４においても、受け材５０を用いることができる。受け材５０を用いた場合には、受け口５４が突部２１ａに位置させればよい。また、第２実施形態と同様に、突部２１ａの上面に充填体３の脚部３３の下端部を嵌合する凹部２５を設けてもよい。
【００３０】
第１実施形態（図３及び図４参照）、第２実施形態（図６参照）及び第４実施形態（図８参照）において、突部２１，２１ａと流動面２２を形成するには、例えば、まず槽底面の流動面をなす面を傾斜面に形成した後、型枠を配設して上面を水平面とした突部２１，２１ａを形成すればよい。また、第３実施形態においては、槽底面を水平面に形成した後、型枠を配設して上面を水平面とした突部２１を一定間隔を空けて平行に形成し、突部２１の間の水平溝６３に流動面形成用部材６０を挿入すればよい。
【００３１】
この発明に係る雨水等の貯留・浸透槽に使用する充填体は、図２に示す実施形態に限定されるものではなく、突部２１の上面に載置可能なものであれば公知の種々の充填体に置き換えることが可能である。例えば、図９に示すように、平板を複数の連続する山型に折り曲げ、山頂部４０と谷部４１に嵌合部４３、４４を設けた充填体４５であってもよい。
【００３２】
前記充填体４５を使用する場合には、突部２１に直接載置してもよいが、図１０に示す受け材４６を用いることができる。受け材４６は、突部２１の上面を嵌合するように上板５１ａの両側端に側板５２ａを突設して断面コ字状に形成するとともに、前記上板５１ａの上面に側端に沿って平行な突起５６を突設することによって形成されている。前記受け材４６の突起５６に谷部４１の側面を係止させることによって充填体４５はずれることがなく安定した状態で確実に設置することが可能となる。
【００３３】
以上のように構成された一実施形態の貯留・浸透槽の底面構造では、降雨による雨水は土層６及び礫層５を浸透し、この雨水が各蓋体４を透過して貯留・浸透槽内の各充填体３間の空隙に貯留される。また、雨水導入管を設けている場合には、さらに雨水導入管を介して貯留される。そして、貯留・浸透槽内に貯留された雨水は、貯留・浸透槽の天井部の筒体９内に設置された吸水用パイプ（図示省略）から適宜吸水されて公園内の芝生への散布用などに利用される。
【００３４】
ここで、雨水と共に貯留・浸透槽内に流入した土砂などは、貯留・浸透槽の底部２の上面である槽底面２Ａの流動面２２．２２ａによって誘導されることで排砂溝２３内に流動し、この排砂溝２３の流動傾斜によって誘導されることで砂溜まり２４内に堆積する。
【００３５】
また、貯留・浸透槽内に充填されている複数の充填体３に堆積した土砂などは、貯留・浸透槽の天井部の筒体９内に設置された放水用パイプ（図示省略）から各充填体３に向けて放水することにより、貯留・浸透槽の槽底面２Ａに流下し、槽底面２Ａの流動傾斜に沿って排砂溝２３内に誘導され、この排砂溝２３の流動傾斜に沿って砂溜まり２４内に誘導されて堆積する。
【００３６】
従って、一実施形態の雨水貯留槽の底面構造においては、マンホール８から砂溜まり２４にバキュームホースなどを挿入して砂溜まり２４内に堆積した土砂などを吸引排出することが可能となる。なお、充填体３の平面開口部に前記バキュームホースを挿通可能な場合は、マンホール８の下方に充填体３を充填してもよいが、充填体３に大きな平面開口がない場合は、マンホールの下方には充填体を充填しない。
【図面の簡単な説明】
【００３７】
【図１】この発明の一実施形態に係る雨水等の貯留・浸透槽の全体構造を概略的に示す縦断面図である。
【図２】図１に示した充填体の構造を示す斜視図である。
【図３】槽底面と充填体の脚部を示す分解斜視図である。
【図４】槽底面に充填体を載置した状態の要部断面図である。
【図５】受け材の他の実施形態を示す斜視図である。
【図６】槽底面の第２実施形態を示す斜視図である。
【図７】槽底面の第３実施形態を示す斜視図である。
【図８】槽底面の第４実施形態を示す斜視図である。
【図９】充填体の他の実施形態を示す斜視図である。
【図１０】図９に示す充填体を載置する際に好適な受け材を示す斜視図である。
【符号の説明】
【００３８】
１：周壁部
２：底部
２Ａ：槽底面
２Ｂ：排砂溝
２Ｃ：砂溜まり
３：充填体
４：蓋体
６：礫層
７：土層
８：マンホール
９：筒体
２１：突部
２２：流動面
２３：排砂溝
２４：砂溜まり
２５：凹部
５０：受け材
５１：上板
５２：側板
５４：受け口
５５：三角形リブ
５６：透孔
６０：流動面形成用部材
【図１】
0004803679.tif 000002
【図２】
0004803679.tif 000003
【図３】
0004803679.tif 000004
【図４】
0004803679.tif 000005
【図５】
0004803679.tif 000006
【図６】
0004803679.tif 000007
【図７】
0004803679.tif 000008
【図８】
0004803679.tif 000009
【図９】
0004803679.tif 000010
【図１０】
0004803679.tif 000011